(57)【要約】【課題】薄型テレビＴを、実際の視聴位置からテレビ外形線指標７１を目安基準として、高さと水平とを目視しながら仮止め調整して位置決めでき、大凡このあたりといった大雑把な位置決めを一掃し、壁面に取り付けられる支持金具の４カ所の適正なビス止め位置を、テレビの外観サイズ変化に連携してその外観で覆い隠される適正な位置に、壁面へのビス止めの目印痕を付け、取付知識や技能を有しない者でもテレビ荷重を均等にバランス良く壁掛けできる。【解決手段】指標型紙７に、薄型テレビＴの外観サイズを原寸指標するテレビ外形線指標７１と、その内周域に支持金具２をビス固定する位置を左右対称となる４カ所に配して指標せしめたビス位置指標７２、７３とを指標せしめて、壁面に仮止めし、各ビス位置指標７２、７３に紙面上から壁面にビス止め位置の目印痕を付けて支持金具２を順次にビス固定するよう指標する。、【選択図】図３
2012234050.tif 000002
【特許請求の範囲】
【請求項１】
薄型テレビの背面側に取り付けられるブラケットと、壁面側に取り付けられて前記ブラケットを上下左右で支持する支持金具を用いて、薄型テレビを室内壁の所望位置に取り付けするための指標型紙であって、
該指標型紙には、前記薄型テレビのｎ型・機種に応じて縦横幅の外観サイズを原寸指標するテレビ外形線指標と、そのテレビ外形線指標の内周域に前記支持金具をビス固定する位置を左右対称となる上下左右の４カ所に配して指標せしめたビス位置指標とを指標せしめると共に、
前記各ビス位置指標は、前記ブラケットと支持金具が薄型テレビの外観で覆い隠されるよう背面側に配設可能に指標せしめ、
前記指標型紙は、取り付けすべきｎ型テレビの前記テレビ外形線指標を目安基準として、薄型テレビの取付位置となる高さと水平とを目視しながら壁面に仮止めした状態で位置決め調整し、
この位置決めした状態で、各ビス位置指標に紙面上から壁面にビス止め位置の目印痕を残した後、指標型紙の一部をめくり又は全部を取り外して、前記目印痕位置に前記支持金具を順次にビス固定する取り付けを行えるよう指標されていることを特徴とする薄型テレビの壁面取り付け用指標型紙。
【請求項２】
請求項１において、前記テレビ外形線指標は、同型テレビの機種毎に異なる外観サイズを、その上線を基準として左右対称に、複数のサイズ別両幅線とサイズ別縦幅下線を表して、それぞれにサイズ別符号表示して識別する一方、前記各ビス位置指標は、前記ブラケットの取付位置に応じて異なる支持金具のビス止め位置を、前記サイズ別符号により識別して上下方向に複数指標せしめ、取り付けすべき薄型テレビの外観サイズに適応したサイズ別符号を選択可能としたことを特徴とする薄型テレビの壁面取り付け用指標型紙。
【請求項３】
請求項１または２において、前記テレビ外形線指標は、ｎ型テレビの異なる外観サイズのうち最大と最小サイズのものを太線表示してあることを特徴とする薄型テレビの壁面取り付け用指標型紙。
【請求項４】
請求項１乃至３の何れかにおいて、前記支持金具は、壁面の上部側に取り付けられる掛止用の固定バーと、その両側部を支持する掛止部材と、壁面の下部側に取り付けられる受け座とからなり、前記ブラケットは、薄型テレビの背面に取り付けられて前記固定バーへ掛止される一対の吊持部と、前記受け座に止着される一対の補助支持部とを備え、前記各ビス位置指標は、掛止部材と受け座を取り付けするためのビス止め位置を指標することを特徴とする薄型テレビの壁面取り付け用指標型紙。
【請求項５】
薄型テレビの背面側に取り付けられるブラケットと、壁面側に取り付けられて前記ブラケットを上下左右で支持する支持金具を用いて、薄型テレビを室内壁の所望位置に取り付けする薄型テレビの壁面取り付け方法であって、
前記薄型テレビのｎ型・機種に応じて縦横幅の外観サイズを略原寸指標するテレビ外形線指標と、そのテレビ外形線指標の内周域に前記支持金具をビス固定する位置を左右対称となる上下左右の４カ所に配して指標せしめたビス位置指標とが表示された指標型紙を、壁面の所望位置にあてがって仮止めすると共に、
該指標型紙に示されたテレビ外形線指標を目安基準として、薄型テレビの取付位置となる高さと水平とを目視しながら指標型紙を仮止め調整して位置決め設定した後、
前記各ビス位置指標に紙面上から壁面にビス止め位置の目印痕を残し、
しかる後、前記指標型紙の一部をめくり又は全部を取り外して、前記目印痕位置に前記支持金具を順次にビス固定して取り付けし、該支持金具に前記ブラケットを介して薄型テレビを取り付けすることを特徴とする薄型テレビの壁面取り付け方法。
【発明の詳細な説明】
【技術分野】
【０００１】
本発明は、薄型テレビを壁面に取り付けするための指標型紙、およびその指標型紙を用いた取り付け方法に関する。
【背景技術】
【０００２】
近年、液晶テレビやプラズマテレビなどの薄型テレビは、画面が大型化されつつも、３２型〜５０型といったｎ型サイズの画面（幅約８００〜１３００ｍｍ）のものであっても、その重さが１１〜２２ｋｇと軽量化が図られ、壁掛け可能な重さになっており、出願人も各機種共にテレビ背面側に設けられた専用の取付部に対して、吊持用ブラケットを取り付けし、壁側に取り付けられた支持金具に掛け止めして取り付けするようにした薄型テレビの壁掛け装置として提案している（特許文献１参照）。また、薄型テレビを壁面に取り付けするにあたっては、実際に薄型テレビ自体を壁面にあてがって位置決めすることは実質的でなく、大凡このあたりといった大雑把な位置決めとなり、取り付け後に所望の位置にセットされていなかったり、家族などのからの不満を招くことも多々ある。
【０００３】
ところで、前記壁掛け装置の吊持用ブラケットは、薄型テレビの背面側に設けられた４カ所のネジ孔にビス固定して取り付けられるのであるが、例えば、同じ３２型テレビであっても、前記４カ所のネジ孔は、各社共上下左右のピッチ孔間隔と左右対称の配置について共通しているものの、上下の配設位置がテレビの中心を基準としたもの、上側、下側を基準としたものなど、その配設位置が異なっており、また、同型のテレビであっても各社で取り扱う機種毎にその外観サイズが異なっており、５０型などテレビが大型化されるほど、前記４カ所のネジ孔の配設位置の違いが顕著になり、吊持用ブラケットの取付位置が上下方向に一定しないという問題がある。
【０００４】
このため、薄型テレビを壁掛けした際、その背面側にブラケットや支持金具がテレビの外観で覆い隠されるよう適正に配置させたいという要望に応えられない場合が生じる。
つまり、この吊持ブラケットは、３２型〜５０型の何れにも対応できるよう所定のピッチ間隔で取付け孔が穿設されており、取付位置の調整が行えるようになっているが、この調整ピッチとの関係で吊持ブラケットの上端部や下端部が薄型テレビの上側や下側から見えてしまったり、隠れすぎたりして、所望の配設位置との間にズレを生じる危惧がある。
一方、支持金具は、上下左右の４カ所の壁面にネジ固定して取り付けるようになっており、取付知識を有しないテレビ購入者が取り付けすると、レベル出しや４カ所の正確な位置合わせを行って取り付けすることが難しく、また、室内壁の多くは、板厚が９〜１２ｍｍ程度の薄く脆い石膏ボードが採用されているため、アンカー金具を適正位置にレベル出しされた状態で埋設することが難しいなどの問題もあって、専門の職人に取付作業を依頼するなどの対応が強いられていた。
【特許文献１】特開２００９−２００９０１号公報
【発明の開示】
【発明が解決しようとする課題】
【０００５】
本発明は、上記の如き問題点を一掃すべく創案されたものであって、薄型テレビを壁面に取り付けする際に、指標型紙を壁面に虫ピンなどで仮止めし、その外観サイズを略原寸指標されたテレビ外形線指標を目安基準として、薄型テレビの所望の取付位置となる高さと水平とを目視しながら指標型紙を仮止め調整し、ソファーに座るなど実際の視聴位置からの位置決めが行えるようにし、壁面に取り付けられる支持金具の４カ所の適正なビス止め位置を、同型の各社薄型テレビが機種毎にブラケットの取付位置が異なっていても、当該テレビの外観で覆い隠される背面側の適正な上下位置に、壁面へのビス止め位置の目印痕を付けることができ、取付知識や技能を有しない者でもアンカーの埋設やビス固定作業を行うことができ、壁面の最適な所望位置に支持金具を精度良く配設した状態で薄型テレビをセットすることができる薄型テレビの壁面取り付け用指標型紙、および薄型テレビの壁面取り付け方法の提供を目的とする。
【課題を解決するための手段】
【０００６】
上記課題を解決するために本発明の薄型テレビの壁面取り付け用指標型紙は、薄型テレビの背面側に取り付けられるブラケットと、壁面側に取り付けられて前記ブラケットを上下左右で支持する支持金具を用いて、薄型テレビを室内壁の所望位置に取り付けするための指標型紙であって、該指標型紙には、前記薄型テレビのｎ型・機種に応じて縦横幅の外観サイズを原寸指標するテレビ外形線指標と、そのテレビ外形線指標の内周域に前記支持金具をビス固定する位置を左右対称となる上下左右の４カ所に配して指標せしめたビス位置指標とを指標せしめると共に、前記各ビス位置指標は、前記ブラケットと支持金具が薄型テレビの外観で覆い隠されるよう背面側に配設可能に指標せしめ、前記指標型紙は、取り付けすべきｎ型テレビの前記テレビ外形線指標を目安基準として、薄型テレビの取付位置となる高さと水平とを目視しながら壁面に仮止めした状態で位置決め調整し、この位置決めした状態で、各ビス位置指標に紙面上から壁面にビス止め位置の目印痕を残した後、指標型紙の一部をめくり又は全部を取り外して、前記目印痕位置に前記支持金具を順次にビス固定する取り付けを行えるよう指標されていることを特徴とするものである。
また、上記課題を解決するために本発明の薄型テレビの壁面取り付け方法は、薄型テレビの背面側に取り付けられるブラケットと、壁面側に取り付けられて前記ブラケットを上下左右で支持する支持金具を用いて、薄型テレビを室内壁の所望位置に取り付けする薄型テレビの壁面取り付け方法であって、前記薄型テレビのｎ型・機種に応じて縦横幅の外観サイズを略原寸指標するテレビ外形線指標と、そのテレビ外形線指標の内周域に前記支持金具をビス固定する位置を左右対称となる上下左右の４カ所に配して指標せしめたビス位置指標とが表示された指標型紙を、壁面の所望位置にあてがって仮止めすると共に、該指標型紙に示されたテレビ外形線指標を目安基準として、薄型テレビの取付位置となる高さと水平とを目視しながら指標型紙を仮止め調整して位置決め設定した後、前記各ビス位置指標に紙面上から壁面にビス止め位置の目印痕を残し、しかる後、前記指標型紙の一部をめくり又は全部を取り外して、前記目印痕位置に前記支持金具を順次にビス固定して取り付けし、該支持金具に前記ブラケットを介して薄型テレビを取り付けすることを特徴とするものである。
【発明の効果】
【０００７】
本発明は、上記のように構成したことにより、薄型テレビを壁面に取り付けする際に、指標型紙を壁面に虫ピンなどで仮止めし、その外観サイズを略原寸指標されたテレビ外形線指標を目安基準として、薄型テレビの所望の取付位置となる高さと水平とを目視しながら指標型紙を仮止め調整して位置決めできるようになり、大凡このあたりといった大雑把な位置決めを一掃し、ソファーなどに座り、家族などと協議しながら、また、指標型紙を仮止めしたまま時間をおいて確認するなどの実際の視聴位置からの位置決めが行えると共に、壁面に取り付けられる支持金具の４カ所の適正なビス止め位置を、同型の各社薄型テレビが機種毎にブラケットの取付位置が異なっていても、当該外観サイズ変化に連携してその外観で覆い隠される背面側となる適正な上下位置に、壁面へのビス止め位置の目印痕を付けることができ、取付知識や技能を有しない者であっても、脆い石膏ボード壁に対するアンカーの埋設やビス固定作業を行うことができ、壁面の最適な所望位置に吊持用ブラケットと支持金具とを精度良く配設した状態で、テレビ荷重を均等にバランス良く壁掛け支持して薄型テレビをセットすることができる。
【発明を実施するための最良の形態】
【０００８】
以下、本発明の実施の形態を好適な実施の形態として例示する薄型テレビの壁面取り付け用指標型紙、および薄型テレビの壁面取り付け方法を図面に基づいて詳細に説明する。図１は薄型テレビの壁掛け装置の全体構成を示す正面図、図２は薄型テレビの壁掛け状態を示す説明図で、（Ａ）はテレビ背面にブラケットを取り付けした状態図、（Ｂ）は石膏ボード壁に支持金具を取り付けした状態図、（Ｃ）は薄型テレビを壁掛けした状態図である。
これらの図に示すように、本発明に用いられる薄型テレビＴの壁掛け装置１は、壁面に取付けられる支持金具２と、薄型テレビＴの背面に取付けられて支持金具２に吊持されるブラケット３とを備えて構成される。
【０００９】
支持金具２は、壁面上部側の左右に所定間隔を存して取り付けられる一対の掛止部材２１と、この掛止部材２１に両端支持される円筒状の固定バー２２と、壁面下部側の左右に所定間隔を存して取り付けられる一対の受け座２３との各部材で構成される。
掛止部材２１は、壁面へ面当て取り付けされる基板２１１と、この基板２１１から前方に突出して、固定バー２２を挿入支持する支持孔を有するフック片２１２とにより、略Ｔ字状に形成され、基板２１１にはフック片２１２を挟んでビス孔２１ａが穿設されている。
固定バー２２は、壁面に取り付けした後の掛止部材２１に対して、その端部をフック片２１２の支持孔に挿入させた後、サイドキャップ２２１を螺入して着脱自在に取り付けられる。
受け座２３は、中心にビス孔２３ａが穿設されたハット型の座金２３１と、座金２３１の頭部に螺入してビス頭を隠すキャップ２３２とで構成される。
【００１０】
吊持用のブラケット３は、掛止部材２１に支持された固定バー２２に、その上端側が引掛け係合可能に逆Ｕ字状（凹状）に折曲形成された吊持部３１と、該吊持部３１から下方に延出形成されて、壁面に面当てされる脚片３２１を備えて薄型テレビＴの背面に取着されるテレビ取付け部３２と、テレビ取付け部３２に重合されて吊持部３１の下部側となるテレビ取付け部３２から壁面側にＬ字状に折曲されて下方に延出形成された、脚片３２１と共に壁面との離間を保持し、受け座２３に受け止め係止される補助支持部３３との板状部材により折曲形成された２部材を、それぞれ左右に組として構成される。なお、大型のテレビＴの場合には、必要において中間にも吊持用のブラケット３を配設する。
【００１１】
テレビ取付け部３２には、所定ピッチを存してｎ型テレビ（３２型〜５０型）Ｔの何れにも対応できるよう所定のピッチ間隔で取付け孔３２ａが穿設されており、取付位置の調整が行えるようになっている。
補助支持部３３は、テレビ取付け部３２の取付け孔３２ａに沿って長孔３３ａが打ち抜き形成されており、長さ調整可能にテレビ取付け部３２と共にビス６で固定され、その下端部には受け座２３に挿入支持される切欠き孔３３ｂが開孔されている。
【００１２】
薄型テレビＴを壁掛け装置１を用いて壁掛け取り付けするには、まず、石膏ボード壁４の壁面の上下左右の所定の高さ位置に、掛止部材２１と受け座２３をそれぞれ所定のピッチで２個所づつ取り付けするための位置決めを行い、間柱に取り付けする場合は、木ねじ５１でビス止めし、間柱が存在しない場合にはアンカープラグ５を適用してビス５１止めし、それぞれのフック片２１２の支持孔に固定バー２２の両側を挿入して架設する。次に、吊持ブラケット３の吊持部３１を固定バー２２に引っ掛けて、左右方向にスライド移動させて薄型テレビＴの取付位置を位置決め調整した後、補助支持部３３に設けられた切欠き孔３３ｂを受け座２３に挿入して、キャップ２３２を螺入すれば、薄型テレビＴの壁面への取り付けが完了する。
【００１３】
しかしながら、薄型テレビＴ自体の取付位置や、図1に示すテレビ背面側の最適なバランス位置に掛止部材２１と受け座２３を壁面に取り付けすることが難しい。そこで、図３に示す本発明の指標型紙７を用いて、薄型テレビＴを壁面に取り付けする。この指標型紙７は、３２型テレビに対応して例示したものである。この図に示すように、指標型紙７は、ｎ型テレビＴの外観サイズよりも大きめの厚紙を用い、外周余白を存して薄型テレビＴの外観サイズを原寸指標するテレビ外形線指標７１と、そのテレビ外形線指標７１の内周域に、支持金具２である上側２カ所に掛止部材２１をビス固定するビス孔２１ａの位置を指標する掛止部材用ビス位置指標７２と、受け座２３をビス固定するビス孔２３ａの位置を指標する受け座用ビス位置指標７３とが指標されている。
【００１４】
一方、同じ３２型テレビであっても、機種毎にその縦・横の外観サイズが異なっており、また、吊持用のブラケット３をビス６で固定するビス孔位置も各社共上下左右のピッチ孔間隔と左右対称の配置について共通しているものの、上下の配設位置がテレビの中心を基準としたもの、上側、下側を基準としたものなど、その配設位置が異なっており、吊持用ブラケット３の取付け孔３２ａピッチとの関係で、吊持部３１の上端部とテレビ上面側との配置間隔も異なってくる。
そこで、本実施形態におけるテレビ外形線指標７１、掛止部材用ビス位置指標７２、受け座用ビス位置指標７３は、これら各社の機種毎に異なる態様を鑑み、Ｓ社：(１)〜(７)、Ｎ社：(８)〜(11)、Ｔ社：(12)〜(14)、Ｐ社：(15)のように、(１)〜(15)の囲み文字符号を用いて識別し、テレビ上面を基準として左右対称に指標してある。
【００１５】
つまり、テレビ外形線指標７１は、横幅サイズが一致する集合別に、最大横幅のテレビ(11)から順次に(９)(10)、(５)(６)(13)(14)、(３)(４)(７)(12)(16)、(１)(２)、最小横幅のテレビ(８)の都合６種類のサイズ別幅線を表し、左右の各幅線上にサイズ別符号を付し、縦幅サイズが一致する集合別に、最大縦幅のテレビ(４)(５)から順次に(６)、(13)、(９)、(14)、(１)(７)、(11)、(３)(15)、(10)、(２)(12)、最小縦幅のテレビ(８)の都合１１種類のサイズ別縦幅下線を表し、この縦幅下線上にサイズ別符号を付したものとなっている。特に、テレビ外形線指標７１は、テレビ上面を基準とする縦幅上線を極太線で表示し、最大横幅線、最大縦幅下線、および最小縦幅線、最小縦幅下線をそれぞれ太線で表示し、離れた位置から視認し易くなっている。
【００１６】
掛止部材用ビス位置指標７２は、掛止部材２１が薄型テレビＴの外観で覆い隠される背面側に、最適に取り付けられる２カ所のビス孔２１ａの中心位置となる縦線Ａ、Ｂと縦線Ｃ、Ｄを左右対称に配し、テレビサイズに応じて取り付けられる吊持用ブラケット３の固定バー２２に掛け止めされる吊持部３１が、テレビ上端からの最適な配置関係となる位置を集合別に、サイズ別符号を上から(４)(５)(12)(14)、(１)、(７)(10)(11)、(２)、(３)(６)(15)、(13)、(９)、(８)の都合９種類のビス止め位置を横線で識別表示している。
【００１７】
受け座用ビス位置指標７３は、吊持用ブラケット３の補助支持部３３がスライド可能で自由な調整ができるので、任意の位置選択とすることもできるが、本実施形態では、薄型テレビＴの外観で覆い隠される背面側に、サイズ変化に連携して掛止部材２１との最適な配置関係をもって受け座２３が取り付けられるよう、そのビス孔２３ａの中心位置を縦線Ｅと縦線Ｆを左右対称に配し、テレビサイズに応じてその下端からの最適な配置関係となる位置を集合別に、上から(８)、(２)(12)、(10)、(15)、(３)(11)、(１)(７)、(９)(14)、(13)、(６)、(４)(５)の都合１０種類のビス止め位置を横線で識別表示している。
【００１８】
この様に指標識別すると、取り付けすべき薄型テレビＴの外観サイズに適応したサイズ別符号を選択すれば、テレビの取付位置と、ビス止め位置を瞬時に認識することができ、例えば、(８)をテレビ外形線指標７１から選択した場合には、掛止部材用ビス位置指標７２と受け座用ビス位置指標７３からも同様に、それぞれ縦線Ａ、Ｂと縦線Ｃ、Ｄ、および縦線Ｅと縦線Ｆに示された横線から(８)を選択し、これらのクロス点（ビス孔の中心位置）に、虫ピンなどを用いて壁面にビス止め位置の目印痕を残すことができるようになっている。なお、図１、２に示す吊持用ブラケット３と支持金具２の納まり態様は、符号(８)を選択したパターンを例示したものであり、薄型テレビＴを吊持用ブラケット３と支持金具２とによって、脆い石膏ボード壁４に対し、取付知識や技能を有しない者であっても、テレビ荷重を均等にバランス良く壁掛け支持する取付が行える。
【００１９】
７５は指標型紙７の中心位置に表示した中心線であって、該中心線７５の上部中心位置には中心点７５１が印してある。この中心点７５１は、指標型紙７を段ボールなどの折曲しない材質の厚紙を用いた場合に、虫ピンなどを用いて指標型紙７を壁面に取り付けすると、バランスがとれてテレビ外形線指標７１による水平レベル出しが容易に行えるようになっている。また、指標型紙７を薄紙で作成した場合には、ピン止めしても両側が折れ曲がってしまうので、テレビ外形線指標７１の極太線で表示した上線の裏面側に帯状の段ボールや硬質紙などを貼り付けした使用が可能であり、この様に使用すると指標型紙７自体をバランスレベル出しされた状態で壁面にピン止めすることができる。或いは、帯状の硬質紙を指標型紙７とセット使用しない場合には、衣紋掛けや棒材と紐等を利用して指標型紙７を中心線７５を仮止めしておき、これを虫ピンなどを介して壁面に引っ掛けてレベル出しを行うことも可能である。なお、紙の厚さ、堅さは任意であり、紙に代用できるものであれば材質を問わないことは言うまでもない。
【００２０】
叙述の如く構成された本発明の実施の形態において、いま、石膏ボード壁４などの壁面に対して、薄型テレビＴの背面側に取り付けられる吊持用ブラケット３と、壁面側に取り付けられて吊持用ブラケット３を上下左右で支持する支持金具２を用いて薄型テレビＴを取り付けするのであるが、本発明における指標型紙７には、薄型テレビＴのｎ型・機種に応じて縦横幅の外観サイズを原寸指標するテレビ外形線指標７１と、そのテレビ外形線指標７１の内周域に支持金具２をビス固定する位置を左右対称となる上下左右の４カ所に配して指標せしめたビス位置指標７２、７３とを指標せしめると共に、各ビス位置指標７２、７３は、吊持用ブラケット３と支持金具２が薄型テレビＴの外観で覆い隠されるよう背面側に配設可能に指標せしめ、指標型紙７は、取り付けすべきｎ型テレビのテレビ外形線指標７１を目安基準として、薄型テレビＴの取付位置となる高さと水平とを目視しながら壁面に仮止めした状態で位置決め調整し、この位置決めした状態で、各ビス位置指標７２、７３に紙面上から壁面にビス止め位置の目印痕を残した後、指標型紙７の一部をめくり又は全部を取り外して、目印痕位置に支持金具２を順次にビス固定する取り付けを行えるよう指標されている。
【００２１】
したがって、この様な指標型紙７を用いることにより、指標型紙７を、壁面の所望位置にあてがって虫ピンなどにより上側角部にピン止めさせた状態で仮止めしておき、この指標型紙７に示されたテレビ外形線指標７１を目安基準として、薄型テレビＴの取付位置となる高さと水平とを目視しながら、一方の虫ピンを抜き差し操作して指標型紙７を仮止め調整し、レベル出しや位置決めを設定した後、指標型紙７の下隅部をピン止め（粘着テープ等であっても良い）し、各ビス位置指標７２、７３に紙面上から壁面に虫ピンやキリなどによりビス止め位置の目印痕を残し、しかる後、指標型紙７の一部（一カ所の虫ピンを外して）をめくり又は全部を取り外して、目印痕位置に支持金具２を順次にビス固定して取り付けし、支持金具２にブラケット３を介して薄型テレビＴを取り付けする方法をもって壁面に取り付けすることができる。
【００２２】
このため、薄型テレビＴを壁面に取り付けする際に、指標型紙７を壁面に虫ピンなどで仮止めし、その外観サイズを略原寸指標されたテレビ外形線指標７１を目安基準として、薄型テレビＴの所望の取付位置となる高さと水平とを目視しながら指標型紙７を仮止め調整して位置決めできるようになり、大凡このあたりといった大雑把な位置決めを一掃し、ソファーなどに座り、家族などと協議しながら、また、指標型紙７を仮止めしたまま時間をおいて確認するなどの実際の視聴位置からの位置決めが行えると共に、壁面に取り付けられる支持金具２の４カ所の適正なビス止め位置を、同型の各社薄型テレビが機種毎にブラケット３の取付位置が異なっていても、当該外観サイズ変化に連携してその外観で覆い隠される背面側の適正な上下位置に、壁面へのビス止め位置の目印痕を付けることができ、取付知識や技能を有しない者であっても、脆い石膏ボード壁４に対するアンカー５の埋設やビス５１による固定作業を行うことができ、壁面の最適な所望位置に支持金具２を精度良く配設した状態で、テレビ荷重を均等にバランス良く壁掛け支持して薄型テレビＴをセットすることができる。
【００２３】
また、各ビス位置指標７２、７３は、ブラケット３と支持金具２が薄型テレビＴの外観で覆い隠される配設位置に指標されているので、掛止部材２１と受け座２３とを、最適な配置関係をもって薄型テレビＴの背面側に配置させて、薄型テレビＴに取着された吊持用ブラケット３の吊持部３１と補助支持部３３をバランス良く支持することができ、吊持用ブラケット３と支持金具２が外観露出して美感を損なうことがない。
【００２４】
また、テレビ外形線指標７１は、同型テレビの機種毎に異なる外観サイズを、その上線を基準として左右対称に、複数のサイズ別両幅線とサイズ別縦幅下線を表して、それぞれにサイズ別符号表示して識別する一方、各ビス位置指標７２、７３は、ブラケット３の取付位置に応じて異なる支持金具２のビス止め位置を、前記サイズ別符号により識別して上下方向に複数指標せしめ、取り付けすべき薄型テレビＴの外観サイズに適応したサイズ別符号を選択可能としてあるので、テレビを取り付け用とする者が、前記サイズ別符号を選択するだけで、掛止部材２１や受け座２３の取付位置を認識して壁面へのビス止め位置の目印痕を付けることができ、また、適応したサイズ別符号が付されたテレビ外形線指標７１を選択し、当該サイズ別両幅線とサイズ別縦幅下線の３辺と、水平ラインの基準となる縦幅上線に沿って余白をカットして、指標型紙７自体をテレビの外観サイズとマッチングさせた状態で用いることができる。
【００２５】
また、テレビ外形線指標７１は、ｎ型テレビの異なる外観サイズのうち最大と最小サイズのものを太線表示してあるので、縦幅上線を水平ラインの基準として、両幅線と縦幅下線の３辺において、最大サイズ、最小サイズに適合するテレビはこの太線表示を基準に、それ以外の最大−最小線間内のテレビサイズのものは、この両太線を目安基準として、薄型テレビＴを所望の取付位置となる高さと水平とを目視しながら指標型紙７を仮止め調整して位置決めすることができる。
【００２６】
また、支持金具２は、壁面の上部側に取り付けられる掛止用の固定バー２２と、その両側部を支持する掛止部材２１と、壁面の下部側に取り付けられる受け座２３とからなり、ブラケット３は、薄型テレビＴの背面に取り付けられて固定バー２２へ掛止される一対の吊持部３１と、受け座２３に止着される一対の補助支持部３３とを備え、各ビス位置指標７２、７３は、掛止部材２１と受け座２３を取り付けするためのビス止め位置、即ち、掛止部材２１のビス孔２１ａと受け座２３のビス孔２３ａの中心位置を指標するので、縦線Ａ、Ｂと縦線Ｃ、Ｄ、および縦線Ｅと縦線Ｆに示された横線とのクロス点（ビス孔の中心位置）に虫ピンなどを用いて壁面にビス止め位置の目印痕を残すことができ、同型テレビに異なる外観サイズの機種が多く存在したとしても、テレビ外形線指標７１と連携したサイズ別符号をもって、縦線の上下方向にテレビサイズに応じた複数の横線を表示することができる。
【図面の簡単な説明】
【００２７】
【図１】薄型テレビの壁掛け装置の全体構成を示す正面図
【図２】薄型テレビの壁掛け状態を示す説明図で（Ａ）はテレビ背面にブラケットを取り付けした状態図、（Ｂ）は石膏ボード壁に支持金具を取り付けした状態図、（Ｃ）は薄型テレビを壁掛けした状態図である。
【図３】本発明の実施形態に係る指標型紙の全体正面図である。
【符号の説明】
【００２８】
１      壁掛け装置
２      支持金具
２１    掛止部材
２１１  基板
２１２  フック片
２１ａ  ビス孔
２２    固定バー
２２１  サイドキャップ
２３    受け座
２３１  座金
２３２  キャップ
２３ａ  ビス孔
３      吊持用ブラケット
３１    吊持部
３２    テレビ取付け部
３２１  脚片
３２ａ  取付け孔
３３    補助支持部
３３ａ  長孔
３３ｂ  切欠き孔
４      石膏ボード壁
５      アンカープラグ
５１    ビス
６      ビス
７      指標型紙
７１    テレビ外形線指標
７２    掛止部材用ビス位置指標
７３    座用ビス位置指標
７５    中心線
７５１  中心点
【図１】
2012234050.tif 000003
【図２】
2012234050.tif 000004
【図３】
2012234050.tif 000005